(57)【要約】  車体後部構造は、車両後面に設けられた外装部材と、リフレクタと、リヤパネルと、突出部材と、を備えている。リフレクタは、外装部材の後面側に車外側に露出して設けられる。リヤパネルは、外装部材の前面側で車室内外を仕切る。突出部材は、リヤパネルから車両後方側に突出する。
2021535873.tif 000002
【特許請求の範囲】
【請求項１】
車両後面に設けられた外装部材と、
前記外装部材の後面側に車外側に露出して設けられたリフレクタと、
前記外装部材の前面側で車室内外を仕切るリヤパネルと、
前記リヤパネルから車両後方側に突出する突出部材と、を備えていることを特徴とする車体後部構造。
【請求項２】
前記突出部材は、前記リフレクタよりも車両後方側に突出していることを特徴とする請求項１に記載の車体後部構造。
【請求項３】
前記突出部材は、前記リフレクタと少なくとも一部が車幅方向でオーバーラップする位置に配置されていることを特徴とする請求項１または２に記載の車体後部構造。
【請求項４】
前記リフレクタと前記突出部材とは、車両後部の車幅方向外側領域に配置され、
前記突出部材は、前記リフレクタより車幅方向に長く延在していることを特徴とする請求項３に記載の車体後部構造。
【請求項５】
前記突出部材は、車両前後方向に略沿って延びる補強ビードを有していることを特徴とする請求項１〜４のいずれか１項に記載の車体後部構造。
【請求項６】
前記補強ビードは、前記突出部材の車幅方向に複数配列されていることを特徴とする請求項５項に記載の車体後部構造。
【請求項７】
前記突出部材は、前記リヤパネルにボルト締結される上下一対の固定フランジと、一対の前記固定フランジから車両後方側に断面略Ｕ字状に突出するＵ字状断面部と、を備えていることを特徴とする請求項１〜６のいずれか１項に記載の車体後部構造。
【発明の詳細な説明】
【技術分野】
【０００１】
本発明は、車体後部の外装部材にリフレクタを備えた車体後部構造に関する。
【背景技術】
【０００２】
車体後部のリヤバンパーフェイス（外装部材）にリフレクタ（反射板）が取り付けられたものがある。リヤバンパーフェイスは、車体の後端部において後方側に膨出する部材であるため、他の車両や静止物体等と接触する可能性が高い。このため、リヤバンパーフェイスに取り付けられたリフレクタは、車両の後部が他の車両や静止物体等と接触したときに損傷を受ける可能性が高くなる。
【０００３】
この対策として、バンパービームの後部に、リフレクタ保護用の凹部を設けた車体後部構造が案出されている。リフレクタ保護用の凹部は、リフレクタの前方側で、そのリフレクタと隙間をもって対向している。この車体後部構造の場合、リヤバンパーフェイスのリフレクタの設置部の近傍に車両後方から荷重が入力されると、リヤバンパーフェイスの変形部分がリフレクタ保護用の凹部の周縁に先に当たる。この結果、リフレクタ保護用の凹部の内側に位置されているリフレクタが保護される（例えば、特許文献１参照）。
【先行技術文献】
【特許文献】
【０００４】
【特許文献１】日本国特開２００８−９４２３４
【発明の概要】
【発明が解決しようとする課題】
【０００５】
しかし、車両によっては、リフレクタの設置部の前方にバンパービームが配置されないものや、バンパービーム自体が存在しないものもある。このような車両においては、リヤバンパーフェイス（外装部材）に取り付けられたリフレクタを外部荷重から保護することが難しい。
【０００６】
本発明に係る態様は、このような事情を考慮してなされたものであり、バンパービームの有無や、バンパービームの配置に拘らず、リフレクタを外部荷重から保護することができる車体後部構造を提供することを目的とする。
【課題を解決するための手段】
【０００７】
本発明は、上記課題を解決するために、以下の態様を採用した。
（１）本発明の一態様に係る車体後部構造は、車両後面に設けられた外装部材と、前記外装部材の後面側に車外側に露出して設けられたリフレクタと、前記外装部材の前面側で車室内外を仕切るリヤパネルと、前記リヤパネルから車両後方側に突出する突出部材と、を備えていることを特徴とする。
【０００８】
上記の態様により、車両後面の外装部材に他の車両や静止物体等から荷重が入力されると、外装部材の変形に伴って、その荷重が突出部材に入力される。突出部材に入力された荷重はリヤパネルによって受け止められる。このため、リフレクタには大きな荷重が入力されにくくなる。
【０００９】
（２）上記（１）の態様において、前記突出部材は、前記リフレクタよりも車両後方側に突出しても良い。
この場合、車両後面の外装部材に他の車両や静止物体等から荷重が入力されると、リフレクタよりも先に突出部材が荷重を受け止め易くなる。このため、この構成を採用することにより、リフレクタを外部荷重からより確実に保護することが可能になる。
【００１０】
（３）上記（１）または（２）の態様において、前記突出部材は、前記リフレクタと少なくとも一部が車幅方向でオーバーラップする位置に配置されることが望ましい。
この場合、車両後面の外装部材に他の車両や静止物体等から荷重が入力されたときに、リフレクタを保護しつつ突出部材によって確実に荷重を受けとめることができる。
【００１１】
（４）上記（３）の態様において、前記リフレクタと前記突出部材とは、車両後部の車幅方向外側領域に配置され、前記突出部材は、前記リフレクタより車幅方向に長く延在しても良い。
この場合、車両後部の車幅方向外側領域に外部から荷重が入力されると、リフレクタよりも長く車幅方向に延在する突出部材によってその荷重が安定して受け止められることになる。このため、車両後部の車幅方向外側領域に偏って荷重が入力されたときにも、リフレクタに荷重がより入力されにくくなる。
【００１２】
（５）上記（１）〜（４）のいずれか１つの態様において、前記突出部材は、車両前後方向に略沿って延びる補強ビードを有しても良い。
この場合、突出部材の車体前後方向の強度が補強ビードによって高められる。このため、この構成を採用した場合には、突出部材の大型化を回避しつつ、車両後方からの入力荷重に対してリフレクタを保護することが可能になる。
【００１３】
（６）上記（５）の態様において、前記補強ビードは、前記突出部材の車幅方向に複数配列されても良い。
この場合、突出部材の車幅方向の広い範囲を補強ビードによって効率良く補強することができる。
【００１４】
（７）上記（１）〜（６）のいずれか１つの態様において、前記突出部材は、前記リヤパネルにボルト締結される上下一対の固定フランジと、一対の前記固定フランジから車両後方側に断面略Ｕ字状に突出するＵ字状断面部と、を備えても良い。
この場合、車両後方から突出部材のＵ字状断面部に荷重が入力されると、突出部材には、Ｕ字状断面部が口開きする方向に荷重が作用し易い。しかし、Ｕ字状断面部の口開きは、上下の固定フランジのボルト締結によって安定して規制される。この構成では、上下の固定フランジをリヤパネルに溶接する場合に比較して、リヤパネルからの固定フランジの剥離を強く規制することができる。
【発明の効果】
【００１５】
本発明に係る態様によれば、リヤパネルから車両後方側に突出する突出部材が設けられているため、バンパービームの有無や、バンパービームの配置に拘らず、リフレクタを外部荷重から保護することができる。
【図面の簡単な説明】
【００１６】
【図１】本発明の一実施形態の車両の後面図である。
【図２】本発明の一実施形態の車両の車体後部の一部の部品の斜視図である。
【図３】本発明の一実施形態の車両の車体後部の一部部品を取り去った後面図である。
【図４】本発明の一実施形態の車両の車体後部の一部部品を取り去った側面図である。
【図５】本発明の一実施形態の車両の車体後部の一部部品を取り去った上面図である。
【発明を実施するための形態】
【００１７】
以下、本発明の一実施形態を図面に基づいて説明する。なお、図面の適所には、車両の前方を指す矢印ＦＲと、車両の上方を指す矢印ＵＰと、車両の左側方を指す矢印ＬＨが記されている。
【００１８】
図１は、実施形態の車両１を後方から見た図である。本実施形態の車両１は、車体の後部に開口部２を有する。開口部２は、跳ね上げ式の図示しないテールゲート（後部ドア）によって開閉される。開口部２の下方と側方領域の一部は、外装部材であるリヤバンパーフェイス１０によって囲まれている。リヤバンパーフェイス１０は、開口部２の下方において、車幅方向のほぼ全域に亘って延びる第１バンパーフェイス１０Ａと、開口部２の左右の側方領域に配置される一対の第２バンパーフェイス１０Ｂと、を備えている。左右の第２バンパーフェイス１０Ｂは、第１バンパーフェイス１０Ａの左右の側部領域の上方にほぼ隙間なく隣接して配置されている。第１バンパーフェイス１０Ａと第２バンパーフェイス１０Ｂは、主に樹脂によって形成されている。なお、図１中の符号３は、車両１の後部タイヤである。
【００１９】
図２は、リヤバンパーフェイス１０の前方側で車室内外を仕切るリヤパネル１１の斜視図である。図３は、リヤバンパーフェイス１０を取り去った車両１の左後部の後面図である。また、図４と図５は、リヤバンパーフェイス１０を取り去った車両１の左後部の左側面図と上面図である。
リヤパネル１１は、金属製の複数の板材が接合されて構成されている。図２においては、車幅方向の左右の両端部に配置される板材部分（以下、「側片部１１Ａ」と呼ぶ。）のみが実線で示され、他の部分は仮想線で示されている。リヤパネル１１は、車体後部の開口部２の下辺と左右の側辺の一部を取り囲むように配置され、図示しない車体フレームやリヤフロアパネル等に適宜手段によって結合されている。リヤバンパーフェイス１０は、リヤパネル１１の後面側にボルト締結やクリップ止め等によって取り付けられている。
リヤバンパーフェイス１０のうちの、左右の第２バンパーフェイス１０Ｂは、リヤパネル１１の左右の側片部１１Ａに取り付けられている。
【００２０】
左右の第２バンパーフェイス１０Ｂのうちの、車幅方向外側端部の近傍には、上下方向に長い開口１２が設けられている。開口１２には、リフレクタ１３が嵌合されている。リフレクタ１３は、前後方向に奥行を持ち、図示しない反射鏡を内蔵する縦長の部品である。リフレクタ１３は、第２バンパーフェイス１０Ｂの開口１２に嵌合されて、反射面１３ａが車外側（後面側）に露出している。
【００２１】
第２バンパーフェイス１０Ｂの後面のうちの、リフレクタ１３の設置部の車幅方向外側部分と下側部分には、リフレクタ１３の反射面１３ａよりも車両後方側に膨出する外側膨出部１４と下側膨出部１５が形成されている。開口１２とリフレクタ１３は、外側膨出部１４の車幅方向内側領域に近接して配置されている。
【００２２】
リヤパネル１１の左右の側片部１１Ａは、リヤバンパーフェイス１０（第２バンパーフェイス１０Ｂ）の側部の湾曲形状に略沿うように、車幅方向外側に若干傾斜して配置されている。左右の側片部１１Ａのうちの、第２バンパーフェイス１０Ｂの下側膨出部１５の前方位置には、金属製の板材をプレス成形して成る突出部材１６が取り付けられている。
【００２３】
突出部材１６は、リヤパネル１１の側片部１１Ａの後面に複数のボルト１７によって締結固定される上下一対の固定フランジ１６ａ，１６ｂと、一対の固定フランジ１６ａ，１６ｂの基端から車両後方側に断面略Ｕ状に突出するＵ字状断面部１６ｃと、を備えている。固定フランジ１６ａ，１６ｂとＵ字状断面部１６ｃとは、車幅方向に略沿って延び、固定フランジ１６ａ，１６ｂが側片部１１Ａの後面に重ねられてボルト締結されている。突出部材１６のＵ字状断面部１６ｃは、リヤパネル１１の側片部１１Ａから車両後方側に突出している。
【００２４】
突出部材１６は、設置状態でのリフレクタ１３に比較して、車幅方向に長く延在している。突出部材１６は、リフレクタ１３の下方位置において、車幅方向外側領域の一部がリフレクタ１３と車幅方向でオーバーラップしている。また、突出部材１６の突出側の端部は、設置状態のリフレクタ１３よりも車両後方側に突出している。
【００２５】
また、突出部材１６のＵ字状断面部１６ｃの上壁と下壁には、車体前後方向に略沿って延びる複数の補強ビード１８が形成されている。補強ビード１８は、Ｕ字状断面部１６ｃの上壁と下壁とに車幅方向に複数配列されている。
【００２６】
本実施形態の車体後部構造では、リヤバンパーフェイス１０のリフレクタ１３の設置部の近傍に他の車両や静止物体等から荷重が入力されると、その荷重は以下のようにして車体に受け止められる。
即ち、リヤバンパーフェイス１０のリフレクタ１３の設置部の近傍に荷重が入力されると、リヤバンパーフェイス１０（第２バンパーフェイス１０Ｂ）が荷重入力部を中心として前方側に変形する。このとき、第２バンパーフェイス１０Ｂの変形部の前面が突出部材１６のＵ字状断面部１６ｃに当接し、入力荷重が突出部材１６を介してリヤパネル１１の側片部１１Ａによって受け止められる。
【００２７】
以上のように、本実施形態の車体後部構造では、リヤパネル１１の側片部１１Ａから車両後方側に突出する突出部材１６が設けられているため、リヤバンパーフェイス１０に入力された荷重を、突出部材１６を介してリヤパネル１１で受け止めことができる。したがって、本実施形態の車体後部構造を採用した場合には、バンパービームの有無や、バンパービームの配置に拘らず、リフレクタ１３を外部荷重から保護することができる。
【００２８】
特に、本実施形態の車体後部構造では、突出部材１６がリフレクタ１３よりも車両後方側に突出しているため、リヤバンパーフェイス１０に外部から荷重が入力されたときに、リフレクタ１３よりも先に突出部材１６が荷重を受け止め易くなる。したがって、この構成を採用した場合には、リフレクタ１３を外部荷重からより確実に保護することが可能になる。
【００２９】
また、本実施形態の車体後部構造では、突出部材１６が、リフレクタ１３の下方側で、当該リフレクタ１３と少なくとも一部が車幅方向でオーバーラップするように配置されている。このため、リヤバンパーフェイス１０に外部から荷重が入力されたときに、リフレクタ１３を保護しつつ突出部材１６によって確実に荷重を受け止めることができる。
【００３０】
また、本実施形態の車体後部構造は、リフレクタ１３と突出部材１６とが車両後部の車幅方向外側領域に配置され、突出部材１６がリフレクタ１３より車幅方向に長く延在している。このため、図５に示すように、リヤバンパーフェイス１０の車幅方向外側領域に、他の車両や外部の物体２０等から荷重が入力されたときに、リフレクタ１３よりも長く車幅方向に延在する突出部材１６によって荷重を安定して受け止めることができる。したがって、この構成を採用した場合には、車両後部の車幅方向外側領域に偏って荷重が入力されたときにも、リフレクタ１３を入力荷重から安定して保護することができる。
【００３１】
さらに、本実施形態の車体後部構造の場合、突出部材１６が、車両前後方向に略沿って延びる補強ビード１８を有しているため、突出部材１６の車体前後方向の強度を補強ビード１８によって効率良く高めることができる。したがって、この構成を採用した場合には、突出部材１６の大型化を回避しつつ、車両後方からの入力荷重対してリフレクタ１３を保護することが可能になる。
【００３２】
特に、本実施形態の車体後部構造では、補強ビード１８が突出部材１６の車幅方向に複数配列されているため、突出部材１６の車幅方向の広い範囲を補強ビード１８によって効率良く補強することができる。
【００３３】
また、本実施形態の車体後部構造では、突出部材１６が、リヤパネル１１にボルト締結される上下一対の固定フランジ１６ａ，１６ｂと、一対の固定フランジ１６ａ，１６ｂから車両後方側に突出するＵ字状断面部１６ｃと、を備える構成とされている。このため、車両後方から突出部材１６のＵ字状断面部１６ｃに荷重が入力されたときに、Ｕ字状断面部１６ｃが口開きする方向に荷重が作用することがあっても、その口開きを上下の固定フランジ１６ａ，１６ｂのボルト締結によって安定して規制することができる。したがって、この構成を採用した場合には、荷重の入力に伴うリヤパネル１１からの突出部材１６（固定フランジ１６ａ，１６ｂ）の剥離を有効に防止することができる。
【００３４】
なお、本発明は上記の実施形態に限定されるものではなく、その要旨を逸脱しない範囲で種々の設計変更が可能である。
【符号の説明】
【００３５】
１０    リヤバンパーフェイス（外装部材）
１１    リヤパネル
１３    リフレクタ
１６    突出部材
１６ａ，１６ｂ    固定フランジ
１６ｃ    Ｕ字状断面部
１８    …補強ビード
【図１】
2021535873.tif 000003
【図２】
2021535873.tif 000004
【図３】
2021535873.tif 000005
【図４】
2021535873.tif 000006
【図５】
2021535873.tif 000007
【手続補正書】
【提出日】令和2年1月9日(2020.1.9)
【手続補正１】
【補正対象書類名】特許請求の範囲
【補正対象項目名】全文
【補正方法】変更
【補正の内容】
【特許請求の範囲】
【請求項１】
車両後面に設けられた外装部材と、
前記外装部材の後面側に車外側に露出して設けられたリフレクタと、
前記外装部材の前面側で車室内外を仕切るリヤパネルと、
前記リヤパネルから車両後方側に突出する突出部材と、を備え
前記外装部材の後面のうちの、前記リフレクタの下側部分には、前記リフレクタよりも車両後方側に膨出する下側膨出部が形成され、
前記下側膨出部の前方位置には、前記突出部材が取り付けられている
ことを特徴とする車体後部構造。
【請求項２】
前記突出部材は、前記リフレクタよりも車両後方側に突出している
ことを特徴とする請求項１に記載の車体後部構造。
【請求項３】
前記突出部材は、前記リフレクタと少なくとも一部が車幅方向でオーバーラップする位置に配置されている
ことを特徴とする請求項１または２に記載の車体後部構造。
【請求項４】
前記リフレクタと前記突出部材とは、車両後部の車幅方向外側領域に配置され、
前記突出部材は、前記リフレクタより車幅方向に長く延在している
ことを特徴とする請求項３に記載の車体後部構造。
【請求項５】
前記突出部材は、車両前後方向に略沿って延びる補強ビードを有している
ことを特徴とする請求項１〜４のいずれか１項に記載の車体後部構造。
【請求項６】
前記補強ビードは、前記突出部材の車幅方向に複数配列されている
ことを特徴とする請求項５項に記載の車体後部構造。
【請求項７】
前記突出部材は、前記リヤパネルにボルト締結される上下一対の固定フランジと、一対の前記固定フランジから車両後方側に断面略Ｕ字状に突出するＵ字状断面部と、を備えている
ことを特徴とする請求項１〜６のいずれか１項に記載の車体後部構造。
【国際調査報告】
2021535873.tif 000008